(57)【要約】      （修正有）【課題】大地震による天井の落下を防止することができるとともに、施工性を良くすることができ、必要に応じて見た目も良くすることができる天井見切材を提供する。【解決手段】長横部材２および短縦部材３を有するとともに、横断面が略Ｌ字形の天井見切材１であって、長横部材および短縦部材は、一方が壁Ｗに固定される場合に他方が天井Ｃの周縁部を支持するものとなり、長横部材は、天井とのカブリ代が基準値以上となる位置に目印突条１４ａ、目印突条に沿った補助突条１４ｂを有する。また長横部材および短縦部材には、それぞれ、フック部材Ｈを吊り下げ得る横材レール部および縦材レール部が形成されている。【選択図】図１
0003191811.tif 000002
【実用新案登録請求の範囲】
【請求項１】
長横部材および短縦部材を有するとともに、横断面が略Ｌ字形の天井見切材であって、
上記長横部材および短縦部材は、一方が壁に固定される場合に他方が天井の周縁部を支持するものとなり、
上記長横部材は、上記天井とのカブリ代が基準値以上となる位置に目印線を有するものであることを特徴とする天井見切材。
【請求項２】
長横部材は、目印線に沿った補助線を有することを特徴とする請求項１に記載の天井見切材。
【請求項３】
長横部材および短縦部材は、それぞれ、被案内部材を吊り下げ得るガイドレールが形成されていることを特徴とする請求項１または２に記載の天井見切材。
【考案の詳細な説明】
【技術分野】
【０００１】
本考案は、天井見切材に関するものである。
【背景技術】
【０００２】
天井見切材は、室内の壁における上部に設けられて、天井の周縁部を支持するものである。近年では、大地震が発生しても天井が落下しないような天井見切材が要望されている。このような天井見切材として、天井の周縁部を直接支持した部分を、地震の振動に追随して摺動するように構成したものが提案されている（例えば、特許文献１参照）。
【先行技術文献】
【特許文献】
【０００３】
【特許文献１】特開２００９−９７１５０号公報
【考案の概要】
【考案が解決しようとする課題】
【０００４】
ところで、上記特許文献１に記載の天井見切材では、天井の周縁部を直接支持する部分（上記特許文献１における見切縁５）と、室内の壁に固定する部分（上記特許文献１における塞ぎ板１５）との間に、天井の周縁部が配置される。このため、上記天井見切材に天井の周辺部を配置する作業の際に、作業者が天井のどの部分まで上記見切縁５に支持されたのかを確認しにくく、さらに、上記摺動のために必要な部材（上記特許文献１における摺動部７）の調整が必要になる。すなわち、上記天井見切材は、大地震による天井の落下を防止することができても、施工性が悪いという問題を有する。
【０００５】
また、上記天井見切材は、上記見切縁５が摺動する範囲以上に上記塞ぎ板１５を室内側に突出させねばならないので、室内からの見た目が非常に悪いという問題も有する。
そこで、本考案は、大地震による天井の落下を防止することができるとともに、施工性を良くすることができ、必要に応じて見た目も良くすることができる天井見切材を提供することを目的とする。
【課題を解決するための手段】
【０００６】
上記課題を解決するため、本考案の請求項１に係る天井見切材は、長横部材および短縦部材を有するとともに、横断面が略Ｌ字形の天井見切材であって、
上記長横部材および短縦部材は、一方が壁に固定される場合に他方が天井の周縁部を支持するものとなり、
上記長横部材は、上記天井とのカブリ代が基準値以上となる位置に目印線を有するものである。
【０００７】
また、本考案の請求項２に係る天井見切材は、請求項１に記載の天井見切材における長横部材が、目印線に沿った補助線を有するものである。
さらに、本考案の請求項３に係る天井見切材は、請求項１または２に記載の天井見切材における長横部材および短縦部材が、それぞれ、被案内部材を吊り下げ得るガイドレールが形成されているものである。
【考案の効果】
【０００８】
上記天井見切材によると、大地震による天井の落下を防止することができるとともに、施工性を良くすることができ、必要に応じて見た目も良くすることができる。
【図面の簡単な説明】
【０００９】
【図１】本考案の実施の形態に係る天井見切材の使用状態を室内から見た概略斜視図である。
【図２】同天井見切材の横断面図であり、（ａ）は耐震重視としての状態を示し、（ｂ）は美観重視としての状態を示す。
【図３】同天井見切材の耐震重視としての使用状態を示す横断面図であり、大地震により天井が室内側に動いた状態を示す。
【図４】同天井見切材の耐震重視としての使用状態を示す横断面図であり、大地震により天井が壁側に動いた状態を示す。
【図５】同天井見切材の美観重視としての使用状態を示す横断面図である。
【考案を実施するための形態】
【００１０】
以下、本考案の実施の形態に係る天井見切材１について図面に基づき説明する。
まず、上記天井見切材１の概略について説明する。
図１に示すように、この天井見切材１は、室内の壁Ｗにおける上部に設けられて、天井Ｃの周縁部を支持するものである。また、上記天井見切材１は、長横部材２および短縦部材３を有するとともに、横断面が略Ｌ字形である。すなわち、長横部材２と短縦部材３とが横断面視で略直交するように接続されている。さらに、上記天井見切材１は、上記壁Ｗに沿って水平方向が長手方向となる長尺物である。上記天井見切材１の長さが不足すれば、複数の天井見切材１が上記長手方向に接続されて使用される。また、上記天井見切材１は、短縦部材３が壁Ｗに固定される場合に、長横部材２が天井Ｃの周縁部を支持するものとなる。一方で、上記天井見切材１は、図１には図示省略するが、長横部材２が壁Ｗに固定される場合に、短縦部材３が天井Ｃの周縁部を支持するものとなる。いずれの場合であっても、上記天井見切材１は、上記壁Ｗに沿って額縁ＰＦ入りの絵画や写真などを吊れるようにされており、すなわち、ピクチャーレールとしての機能も有する。なお、以下では、長横部材２と短縦部材３との接続側を「基端側」といい、長横部材２および短縦部材３の先端側をそれぞれ「横材先端側」および「縦材先端側」という。また、図１における長横部材２の上面側および短縦部材３の室内側を「内面側」といい、長横部材２の下面側および短縦部材３の壁Ｗ側を「外面側」という。
【００１１】
次に、上記天井見切材１の詳細な構成について説明する。
図２（ａ）は、短縦部材３が壁Ｗに固定されて長横部材２が天井Ｃの周縁部を支持する状態の横断面図、すなわち、図１に相当する状態の図である。これら図１および図２（ａ）に示すのが、「耐震重視」として上記天井見切材１が使用されている状態である。一方、図２（ｂ）は、長横部材２が壁Ｗに固定されて短縦部材３が天井Ｃの周縁部を支持する状態の横断面図である。この図２（ｂ）に示すのが、「美観重視」として上記天井見切材１が使用されている状態である。
【００１２】
上記長横部材２は、図２（ａ）に示すように、横材先端側において天井Ｃの周縁部が載置され得る横材載置部２１と、基端側において上記長手方向で摺動自在にフック部材（被案内部材の一例である）Ｈを吊り下げ得る横材レール部（ガイドレールの一例である）２７と、上記横材載置部２１および横材レール部２７を接続する横材中間部２４とが具備される。上記横材載置部２１は、載置された天井Ｃの下面に面接触する載置面１１と、隣接する天井見切材１同士で載置面１１の高さを一致させるためのピン穴１２とを備える。上記横材中間部２４は、内面側に２本の突条１４が設けられ、外面側にローレット１５が形成され、内面側から外面側までビスｖを打ち込むためのＶ字溝１６が形成されている。上記２本の突条１４のうち、基端側のものが目印突条（目印線の一例である）１４ａとなり、横材先端側のものが補助突条（補助線の一例である）１４ｂとなる。上記目印突条１４ａは、横材載置部２１（具体的には横材先端側の端面）から基端側へ基準値Ｐ以上に位置するとともに、横材レール部２７（具体的には横材先端側の端面である）から横材先端側へ上記基準値Ｐ以上に位置する。ここで、上記基準値Ｐとは、大地震で天井Ｃが天井見切材１から落下しないための、天井Ｃと天井見切材１とのカブリ代における安全寸法である（例えば現在における業界の基準値Ｐは６０ｍｍ）。上記補助突条１４ｂは、上記目印突条１４ａに沿って位置することで、当該目印突条１４ａを際立たせるものである。
【００１３】
上記短縦部材３は、同様に図２（ｂ）に示すように、縦材先端側において天井Ｃの周縁部が載置され得る縦材載置部３１と、基端側において上記長手方向で摺動自在にフック部材Ｈを吊り下げ得る縦材レール部３７（ガイドレールの一例である）と、上記縦材載置部３１および縦材レール部３７を接続する縦材中間部３４とが具備される。上記縦材載置部３１は、載置された天井Ｃの下面に面接触する載置面１１と、隣接する天井見切材１同士で載置面１１の高さを一致させるためのピン穴１２とを備える。上記縦材中間部３４は、内面側に２本の突条１４が設けられ、外面側にローレット１５が形成され、内面側から外面側までビスｖを打ち込むためのＶ字溝１６が形成されている。上記縦材レール部３７における内面側の端面は、縦材載置部３１の載置面１１と面一である。上記短縦部材３は、縦材載置部３１（具体的には縦材先端側の端面）から横材レール部２７（具体的には縦材先端側の端面）までを上記基準値Ｐ以上にされている。上記縦材レール部３７は、上記横材レール部２７と一体に形成されている。
【００１４】
以下、上記天井見切材１の使用方法について説明する。
まず、上記天井見切材１について、耐震重視／美観重視のいずれかを選択する。
耐震重視の場合は、図２（ａ）に示すように、短縦部材３を壁Ｗの設置場所に仮付けした後、短縦部材３のＶ字溝１６にビスｖを打ち込むことで、短縦部材３を壁Ｗに固定する。そして、天井Ｃの端面が目印突条１４ａの直上に位置するように、天井Ｃの周縁部を横材載置部２１に載置する。これにより、極めて容易に、天井Ｃと長横部材２とのカブリ代が上記基準値Ｐ以上になるとともに、天井Ｃの端面と横材レール部２７との距離が上記基準値Ｐ以上になる。したがって、大震災が発生しても、横材先端側に動いた天井Ｃは長横部材２から落下せず（図３参照）、基端側に動いた天井Ｃは横材レール部２７に衝突しない（図４参照）。
【００１５】
一方で、美観重視の場合は、図２（ｂ）に示すように、長横部材２を壁Ｗの設置場所に仮付けした後、長横部材２のＶ字溝１６にビスｖを打ち込むことで、長横部材２を壁Ｗに固定する。そして、天井Ｃの端面が横材レール部２７に接しないように、天井Ｃの周縁部を縦材載置部３１および縦材レール部３７に載置する。これにより、天井見切材１の室内から見える部分は、耐震重視の場合のように長横部材２ではなく、短縦部材３になる。また、天井Ｃと短縦部材３とのカブリ代が上記基準値Ｐ以上になる。したがって、天井見切材１の室内から見える部分が小さくなるとともに（図５参照）、大震災が発生しても、縦材先端側に動いた天井Ｃは短縦部材３から落下しない（図示省略）。
【００１６】
このように、上記天井見切材１によると、耐震重視および美観重視のいずれの場合であっても、大地震が発生しても、天井Ｃの落下を防止することができる。また、耐震重視の場合は、大地震が発生しても、天井Ｃが横材レール部２７に衝突しないので、天井見切材１が破損せず、天井Ｃの落下を確実に防止することができる。さらに、耐震重視の場合は、天井Ｃを配置する位置が極めて容易に定まるので、施工性を良くすることができる。一方で、美観重視の場合は、天井見切材１の室内から見える部分が短縦部材３になるので、見た目を良くすることができる。
【００１７】
また、補助突条１４ｂが目印突条１４ａを際立たせることにより、耐震重視の場合は、天井Ｃを配置する位置が極めて容易に定まるので、施工性を一層良くすることができる。
さらに、耐震重視および美観重視のいずれの場合であっても、横材レール部２７または縦材レール部３７のフック部材Ｈにより額縁ＰＦを吊れるので、見た目を一層良くすることができる。
【００１８】
ところで、上記実施の形態では、目印線および補助線の一例として目印突条１４ａおよび補助突条１４ｂとして説明したが、突条のような突出したものに限定されず、窪んだものや罫書であってもよい。また、目印線および補助線は、実線のように連続した線に限定されず、破線や点線のように断続的な線であってもよい。
【符号の説明】
【００１９】
Ｃ    天井
Ｗ    壁
Ｈ    フック部材
ＰＦ  額縁
Ｐ    基準値
１    天井見切材
２    長横部材
３    短縦部材
１１    載置面
１２    ピン穴
１４    突条
１４ａ  目印突条
１４ｂ  補助突条
１５    ローレット
２１    横材載置部
２４    横材中間部
２７    横材レール部
３１    縦材載置部
３４    縦材中間部
３７    縦材レール部
【図１】
0003191811.tif 000003
【図２】
0003191811.tif 000004
【図３】
0003191811.tif 000005
【図４】
0003191811.tif 000006
【図５】
0003191811.tif 000007